(57)【要約】【課題】開閉枠や本体枠を開放することなく前側から打球力調整ハンドルが着脱できるようにして、その取付作業や交換作業の作業能率を向上させることができ、しかも、遊技者による悪戯も防止できるようにした遊技機を提供する。【解決手段】打球力調整ハンドル１１の基体部５０の外周面に一または複数の係合凹部５４を凹設し、ハンドル取付部１３に挟着部材１４と環状枠体１５とを備え、挟着部材１４は前記係合凹部５４に係合し得る係合突子２７を有し、環状枠体１５は係合突子２７を囲うようにして配置されると共に内周面４６が一方向へ回動するのに伴い係合突子２７をその回動中心に向かって押動するような弧面に成形され、打球力調整ハンドル１１をハンドル取付部１３に押し込んだ状態で、環状枠体１５を一方向へ回動させその内周面４６で係合突子２７を係合凹部５４に係合させて打球力調整ハンドル１１を固定するようにした。【選択図】図２
2008049034.tif 000002
【特許請求の範囲】
【請求項１】
前面の一側にハンドル取付部が設けられると共に該ハンドル取付部に打球力調整ハンドルを着脱自在に取り付けるようにした遊技機であって、
前記打球力調整ハンドルの基体部の外周面にその周方向に沿って一または複数の係合凹部を凹設し、前記ハンドル取付部に挟着部材と環状枠体とを備え、前記挟着部材は前記ハンドル取付部の前面に配置され前記係合凹部に係合し得る係合突子を有し、前記環状枠体は前記係合突子を囲うようにして前記ハンドル取付部の前面に配置されると共に該ハンドル取付部の前面に沿って自在に回動しかつ内周面が一方向へ回動するのに伴い前記係合突子の外側面に摺接して該係合突子をその回動中心に向かって押動するような弧面に成形され、
前記打球力調整ハンドルの基体部を前記ハンドル取付部に前側から押し込んだ状態で、前記環状枠体を一方向へ回動させその内周面で前記係合突子を押動して該係合突子を前記係合凹部に係合させることにより、前記打球力調整ハンドルが前記ハンドル取付部に固定されるようにしたことを特徴とする遊技機。
【請求項２】
前記挟着部材は、前記打球力調整ハンドルの基体部が挿通できる大きさであって弾性を有する環状片に前記係合突子を一体に連結して成形される請求項１記載の遊技機。
【請求項３】
前記挟着部材における係合突子の裏面に、前記ハンドル取付部に開設した通孔に挿通される掛止片を設けると共に該掛止片に係止凹部を設け、前記係合突子が前記打球力調整ハンドルの係合凹部に係合したとき、前記係止凹部が前記通孔の内側縁に係合するようにした請求項１又は２記載の遊技機。
【発明の詳細な説明】
【技術分野】
【０００１】
本発明は、遊技機の前面一側に打球の打球力を調整する打球力調整ハンドルを備えた遊技機に関するものである。
【背景技術】
【０００２】
従来、この種の遊技機の一種であるパチンコ遊技機にあって、その前面一側にハンドル取付部が設けられると共に該ハンドル取付部に打球力調整ハンドルを着脱自在に取り付けるようにしたパチンコ遊技機がある。さらに詳しく説明すると、該パチンコ遊技機は、開閉枠である前枠の裏側の後方基板および本体枠であるミドル枠とに、掛止片孔部を上下に並設したハンドル取付孔がそれぞれ穿設されており、打球力調整ハンドルの基端部には、前記掛止片孔部と同形状のハンドル片が突設されている。そして、ハンドル片と掛止片孔部とを合わせてハンドルの基端部をハンドル取付孔に挿入し、この状態で９０度回転し各ハンドル片と掛止片孔部とを係合し、更に、ミドル枠の裏側から内部結合孔へネジを貫通させて打球力調整ハンドルを固定するようにしている（例えば、特許文献１参照。）。
【０００３】
【特許文献１】特開２０００−２３３０４６号公報（第３−６頁、図２）
【発明の開示】
【発明が解決しようとする課題】
【０００４】
しかしながら、前記特許文献１のパチンコ遊技機にあっては、打球力調整ハンドルを固定するためのネジ止めを最終的にミドル枠の裏側からするようにしているので、例えばパチンコ遊技機の組立て時には、前枠にその前側から打球力調整ハンドルを挿通し、その後ミドル枠の裏側でネジ止めして固定しなければならない。また、パチンコホールにパチンコ遊技機が設置された状態では、打球力調整ハンドルの交換をするに、いちいちミドル枠を開きその後側からネジを取り外して打球力調整ハンドルを交換せねばならないことから、ミドル枠を開閉するという面倒な手間を要し、このため作業能率が悪いという課題があった。
【０００５】
また、打球力調整ハンドルはハンドル取付孔に対して９０度回動させてネジ止めするようにしているので、例えばパチンコホールにあってネジが緩んでくると打球力調整ハンドル自体が自在に回動できるようになって、遊技者に悪戯され易いという課題もあった。
【０００６】
そこで、本発明は上記課題を解決すべくなされたもので、開閉枠や本体枠を開放することなく前側から打球力調整ハンドルが着脱できるようにして、その取付作業や交換作業の作業能率を向上させることができ、しかも、遊技者による悪戯も防止できるようにした遊技機を提供することを目的とするものである。
【課題を解決するための手段】
【０００７】
かかる目的を達成するため本発明の遊技機は、前面の一側にハンドル取付部が設けられると共に該ハンドル取付部に打球力調整ハンドルを着脱自在に取り付けるようにした遊技機であって、前記打球力調整ハンドルの基体部の外周面にその周方向に沿って一または複数の係合凹部を凹設し、前記ハンドル取付部に挟着部材と環状枠体とを備え、前記挟着部材は前記ハンドル取付部の前面に配置され前記係合凹部に係合し得る係合突子を有し、前記環状枠体は前記係合突子を囲うようにして前記ハンドル取付部の前面に配置されると共に該ハンドル取付部の前面に沿って自在に回動しかつ内周面が一方向へ回動するのに伴い前記係合突子の外側面に摺接して該係合突子をその回動中心に向かって押動するような弧面に成形され、前記打球力調整ハンドルの基体部を前記ハンドル取付部に前側から押し込んだ状態で、前記環状枠体を一方向へ回動させその内周面で前記係合突子を押動して該係合突子を前記係合凹部に係合させることにより、前記打球力調整ハンドルが前記ハンドル取付部に固定されるようにしたことを特徴とする。
【０００８】
また、この際、前記挟着部材は、前記打球力調整ハンドルの基体部が挿通できる大きさであって弾性を有する環状片に前記係合突子を一体に連結して成形されることが好ましい。更に、前記挟着部材における係合突子の裏面に、前記ハンドル取付部に開設した通孔に挿通される掛止片を設けると共に該掛止片に係止凹部を設け、前記係合突子が前記打球力調整ハンドルの係合凹部に係合したとき、前記係止凹部が前記通孔の内側縁に係合するようにすることが好ましい。
【発明の効果】
【０００９】
本発明に係る遊技機は、打球力調整ハンドルの基体部の外周面に一または複数の係合凹部を凹設し、ハンドル取付部に挟着部材と環状枠体とを備えている。挟着部材は、ハンドル取付部の前面に配置され前記係合凹部に係合し得る係合突子を有する。また、環状枠体は、係合突子を囲うようにしてハンドル取付部の前面に配置されると共にハンドル取付部の前面に沿って自在に回動しかつ内周面が一方向へ回動するのに伴い係合突子の外側面に摺接して該係合突子をその回動中心に向かって押動するような弧面に成形される。そして、
前記打球力調整ハンドルの基体部をハンドル取付部に前側から押し込んだ状態で、環状枠体を一方向へ回動させその内周面で係合突子を押動して該係合突子を前記係合凹部に係合させることにより、打球力調整ハンドルがハンドル取付部に固定される。このように、開閉枠や本体枠を開閉することなく前側から打球力調整ハンドルの取付または取り外し作業が行えることになり、打球力調整ハンドルの取付作業や交換作業の作業能率を向上させることができるという効果がある。
【００１０】
また、打球力調整ハンドルはハンドル取付部に対して回動させずに取り付けられるので、無用に回動することもなく遊技者による悪戯も防止できるという効果がある。
【発明を実施するための最良の形態】
【００１１】
以下、本発明に係る遊技機の実施の形態を図面に基づき詳しく説明する。本発明は、パチンコ遊技機、アレンジボール機、雀球機等の遊技機に適用できるが、この内、本発明はパチンコ遊技機に適用される場合について説明する。図１は本発明に係るパチンコ遊技機の正面図である。
【００１２】
パチンコ遊技機Ｐは、縦長長方形状の機枠１の前面に本体枠（図示せず。）が開閉自在に装着され、該本体枠に遊技盤２が配設される。また、本体枠の前面に該本体枠の前面全体を覆う開閉枠としての透明板保持枠３が開閉自在に装着されている。本発明にあっては、前記機枠１と本体枠とを合わせたものを遊技機本体Ｐ１としており、前記透明板保持枠３が遊技機本体Ｐ１の前面に開閉自在に装着されることになる。透明板保持枠３に前記遊技盤２の前面の遊技部２ａが視認できるような円形状の窓開口４が開設され、該窓開口４は透明な合成樹脂またはガラスから成形される透明板５により覆われている。
【００１３】
前記遊技盤２の前面の遊技部２ａには、その中央に数字、文字、図柄といった各種の情報を変動表示する表示部６ａを備えた可変表示装置６が配置される。また、その下方に遊技球が入賞することにより前記情報の変動を開始させる始動入賞口７が配置され、その下方に大型の入賞装置８が配置される。そして、前記表示部６ａの停止したときの情報が特別に決められた情報（例えば、「７７７」）に揃ったとき遊技者にとって特別な状態、所謂大当り状態になって、入賞装置８の開閉扉８ａが所定時間または所定数（通常、１０個）の遊技球が入賞するまで開放して１ラウンドが終了し、その後、一定の条件の下で最高１５ラウンドまで継続できるようにして一度に多くの賞球が得られるようにしている。
【００１４】
前記透明板保持枠３の前面下部に、払い出された賞球を貯留し打球発射部（図示せず。）へ供給する上部の球受皿９が装着され、その下方に前記上部の球受皿９から溢れる遊技球を貯留する下部の球受皿１０が装着される。そして、下部の球受皿１０の一側であって透明板保持枠３の前面に前記遊技盤２の前面の遊技部２ａに発射される打球の打球力を調整する打球力調整ハンドル１１が取り付けられる。この打球力調整ハンドル１１を所望角度回動することにより、打球発射部に位置する打球が所定の打球力で打ち出され、前記遊技部に到達して遊技が行えるようになっている。
【００１５】
図２は、打球力調整ハンドルの取付部位の分解斜視図である。透明板保持枠３の一側前面にハンドル取付部１３が設けられる。そして、該ハンドル取付部１３に、打球力調整ハンドル１１が着脱自在に取り付けられることになる。前記ハンドル取付部１３には、打球力調整ハンドル１１に係合して固定させるための挟着部材１４と該挟着部材１４を動作させるための環状枠体１５とが前後に重なるようにして配置される。
【００１６】
打球力調整ハンドル１１は、縦長楕円筒状の基体部５０と、その前側に設けられ遊技者の手が添えられる椀状の握持部５１と、前記基体部５０と握持部５１との間に介装され一方向へ回動させることにより遊技球である打球の打球力が調節できる操作ハンドル部５２とからなる。基体部５０の外周面には、その中心軸線と平行な断面半円形状の位置決め凹溝５３が複数条（この場合、３条）所定の位置に設けられている。これら位置決め凹溝５３は基体部５０の後端面５０ａに達しており、しかもこれら凹溝５３の間隔はいずれも異ならせてある。これは打球力調整ハンドル１１を常に正位置で取り付けられるようにするためである。また、基体部５０の後端部の外周面に、その周方向に沿って複数の係合凹部５４（この場合、２個）が凹設されている。この係合凹部５４は前記係合突子２７に合わせて設けられ、これ以外に一個、三個、四個またはこれ以上複数個であっても良い。なお、基体部５０内には、操作ハンドル部５２の回動動作に伴い抵抗を変化させる可変抵抗器（図示せず。）が内装され、打球を発射するための打球発射装置（図示せず。）に電気的に接続される。
【００１７】
前記ハンドル取付部１３には、図３に示すようにその中央に縦長楕円形状の取付孔１６が開設されている。この取付孔１６は前記打球力調整ハンドル１１の基体部５０の後端面５０ａと同じ大きさからなり、その後端面５０ａが合致するようになっている。すなわち、図３において取付孔１６における中心点Ｏを通る縦方向の線が長軸ａとなり、中心点Ｏを通る横方向の線が短軸ｂとなる。該取付孔１６の内周縁全体に高さの少し低い環状段部１７が成形され、該環状段部１７の所定位置（この場合、三個所）に前記打球力調整ハンドル１１の基体部５０の外周面に設けられた位置決め凹溝５３の後端が嵌る半円形状の位置決め突起１８が設けられる。
【００１８】
また、取付孔１６の外側に所定の間隔離しかつ該取付孔１６とほぼ同心円状に位置して円形状のガイドリブ１９が突設される。このガイドリブ１９は直径に沿った両横側にそれぞれ切欠部２０，２０が設けられ、各切欠部２０に対応するようにしてその内側に方形状の受止板部２１が突設される。更に、各受止板部２１と前記取付孔１６との間にはそれぞれ通孔２２が開設される。
【００１９】
前記取付孔１６とガイドリブ１９との間であって該ガイドリブ１９寄りに、該ガイドリブ１９と同心円状であり、両切欠部２０，２０の中心を通る直径Ｌ１とこれと直角をなしかつ取付孔１６の中心点Ｏを通る直径Ｌ２とにより４等分に区画される部位の内の斜めに対向する両部位側に位置させてそれぞれほぼ９０度の開き角度の間隔を保って円弧溝２３，２３が開設される。各円弧溝２３の始端部には、溝幅が少し広がった挿入口２３ａが該円弧溝２３に連なるようにして設けられる。透明板保持枠３の前面であってガイドリブ１９の外側に、一方の切欠部２０の外側やや下方に位置して止めボス２４が突設される。該止めボス２４の下面には、後記するネジ６０が螺締されるネジ孔２５が開設されている。
【００２０】
前記挟着部材１４は、合成樹脂材により成形され、一対の係合突子２７，２７を有すると共に両係合突子２７，２７は弾性を有する環状片２８，２８により連結して両側に一体に設けられる。この挟着部材１４は、リング状の環状片２８，２８が打球力調整ハンドル１１の前記基体部５０を挿通することができる大きさを有する。各係合突子２７は、対向する面に先端の断面が山型の突部２７ａが設けられ、各係合突子２７の外側面２７ｂは後記する環状枠体１５を一方へ回動させたときその導入口３６の内周面４６にその全体が摺接するように成形されている。また、環状片２８を挟んだ反対側、すなわち各係合突子２７の裏面に掛止片３０が突設される。両掛止片３０，３０の対向面には、前記ハンドル取付部１３に開設された両通孔２２，２２の内側縁に係合し得る係止凹部３１，３１が設けられる。更に、各係合突子２７の外側面２７ｂに、該外側面２７ｂに対してほぼ直角をなす押し当て板３２が突設される。各押し当て板３２の裏面には、前記受止板部２１が嵌る案内溝３３が凹設されている。
【００２１】
そこで、ハンドル取付部１３の前側から両掛止片３０，３０を両通孔２２，２２に挿入することにより、挟着部材１４が配置される。このとき、両押し当て板３２，３２の案内溝３３が、両受止板部２１，２１に嵌る。また、両通孔２２，２２は両掛止片３０，３０よりその移動方向に対する幅が少し広く設定されている。これにより、両通孔２２，２２の幅内で両係合突子２７，２７が前記両受止板部２１，２１を結んだ線に沿って左右に摺動できるようになっている。
【００２２】
前記環状枠体１５は、前記挟着部材１４と同様に合成樹脂材により成形され、前記円形状のガイドリブ１９とほぼ同じ大きさを有する略円形状の基板３５に導入口３６が開設されると共に該導入口３６に打球力調整ハンドル１１の基体部５０が挿通される。また、前記挟着部材１４の両係合突子２７，２７が、導入口３６内に位置して環状枠体１５により囲われることになる。
【００２３】
前記基板３５における外周縁の略半部分部位に裏側へ折れ曲る外周側壁３７ａが周設されると共にその内側に該外周側壁３７ａに対応させて内周側壁３７ｂが同心円状に周設され、外周・内周側壁３７ａ，３７ｂ間に前記ガイドリブ１９が嵌る摺動溝３８が設けられる。また、基板３５の外周縁であって外周側壁３７ａに対向する位置には、前記ガイドリブ１９の内周面に周接する片側壁３９が設けられている。また、基板３５の裏面であって前記内周側壁３７ｂ側の一端と前記片側壁３９の一端とに、それぞれ前記各円弧溝２３に嵌る差込片４０が突設されている。各差込片４０の外側面には、前記各円弧溝２３の外周縁の裏面に摺接する張出部４１が設けられ、各差込片４０は前記挿入口２３ａから円弧溝２３内に嵌るようになっている。前記外周側壁３７ａの一端に、前記止めボス２４のネジ孔２５に合致し得るネジ挿通孔４２を有した作動片４３が突設されている。更に、外周側壁３７ａの外周面に、指を掛けるための滑り止め突条４４が複数設けられている。
【００２４】
前記基板３５の導入口３６は、打球力調整ハンドル１１の基体部５０が挿通される大きさを有し、内周面４６の対向する位置に段部４５，４５が設けられる。そして、一方の段部４５の低点４５ｂから他方の段部４５の高点４５ａまでの内周面４６は点対称形状をなし、かつ、各内周面４６は、その導入口３６の中心点からの距離が低点４５ｂから高点４５ａに進むに従い漸次短くなるように弧面に成形されている。よって、摺動溝３８にガイドリブ１９を嵌め片側壁３９をガイドリブ１９の内周面に接して環状枠体１５を一方向に回動させたとき、それに伴い各係合突子２７の外側面２７ｂ全体に摺接して該各係合突子２７をその回動中心に向かって押動する。このように、各係合突子２７の外側面２７ｂ全体が導入口３６の内周面４６に摺接することにより各係合突子２７ががたつくことなく安定する。また、前記両段部４５，４５の高点４５ａ間の寸法は、前記打球力調整ハンドル１１すなわち取付孔１６の長軸ａの寸法とほぼ同じに設定される。
【００２５】
前記透明板保持枠３のハンドル取付部１３の前面に、合成樹脂製のカバー部材５６が被着される。このカバー部材５６は、後面が開放されると共にほぼ中央に前記打球力調整ハンドル１１の基体部５０が嵌合される嵌合孔５７が貫設される。該嵌合孔５７は、その中心軸線と直交する断面形状が前記取付孔１６と同じに設定され、その内周面には前記基体部５０の外周面に設けられた複数の位置決め凹溝５３が嵌る位置決め凸条５８が設けられている。カバー部材５６の後側下縁に、前記環状枠体１５の下部を外側へ突出させるため該環状枠体１５の外周縁とほぼ同じ形状の円弧状の凹欠部５９が設けられている。よって、この凹欠部５９から前記複数の滑り止め突条４４が指で触れることになる。
【００２６】
本発明に係るパチンコ遊技機Ｐは上記構成からなり、まず、ハンドル取付部１３の前面に挟着部材１４を配置すると共に両側の掛止片３０，３０を両通孔２２，２２に挿通する。また、挟着部材１４の前面に重ねるようにして環状枠体１５を配置し、両差込片４０，４０を両円弧溝２３，２３端部の挿入口２３ａ，２３ａに挿入する。次に、ハンドル取付部１３の前面にカバー部材５６を配置し、環状枠体１５下部の外周側壁３７ａが凹欠部５９から外側へ露出するようにしてカバー部材５６を固着する。その固着手段としてはネジ止め手段が採られるが、詳しい説明は省略する。この際、カバー部材５６の嵌合孔５７とハンドル取付部１３の取付孔１６とが合致し、しかも、各位置決め凸条５８と各位置決め突起１８とが前側から見て位置的に合致する。また、この状態では、挟着部材１４の各係合突子２７が環状片２８の弾性により互いに外側へ付勢されており、いずれも取付孔１６の外側に位置している。
【００２７】
打球力調整ハンドル１１を取り付けるには、図４に示すように該打球力調整ハンドル１１をその基体部５０が嵌合孔５７に対向するようにしてハンドル取付部１３の前面に配置し、同図矢印のように各位置決め凹溝５３と各位置決め凸条５８とが合致するようにして基体部５０を嵌合孔５７に押し込む。これにより、図５、図６に示すように基体部５０の後端面５０ａが取付孔１６の環状段部１７の前面に当接し、各位置決め凹溝５３の後端が各位置決め突起１８に嵌合する。よって、打球力調整ハンドル１１がその中心軸線に対し直交する面内で無用に回動することがなくなる。この際、基体部５０の外周面の両係合凹部５４，５４と挟着部材１４の両係合突子２７，２７とが互いに対向位置する。また、環状枠体１５の内周面４６の両段部４５，４５の各高点４５ａは、基体部５０の外周面の短軸ｂ側に対向位置しているため、その基体部５０の外周面に接触することはない。
【００２８】
この状態で、環状枠体１５をカバー部材５６の凹欠部５９から露出する作動片４３を摘んで図６矢印方向へ回動させる。これにより図７、図８に示すように環状枠体１５の導入口３６の弧面である内周面４６，４６が、両係合突子２７，２７を互いにその回動中心に向かって移動させる。すなわち、両係合突子２７，２７が基体部５０の外周面に接近し、その突部２７ａ，２７ａが両係合凹部５４，５４に係合する。同時に、両係合突子２７，２７の裏側の係止凹部３１，３１が両通孔２２，２２の内側縁に係合する。これにより、打球力調整ハンドル１１の固定構造が強固になる。更に、両段部４５，４５の各高点４５ａが、基体部５０の外周面の長軸ａ側へ移動して該外周面に当接することになる。よって、打球力調整ハンドル１１は基体部５０が周囲４点によりしっかりと保持され、しかも嵌合孔５７から抜けるようなことはない。
【００２９】
最後に、作動片４３のネジ挿通孔４２を介し止めボス２４のネジ孔２５にネジ６０を螺締して打球力調整ハンドル１１の取付が完了する。また、打球力調整ハンドル１１内から引き出される配線は、透明板保持枠３の前側から前記ハンドル取付部１３の取付孔１６を介して結線作業ができる。
【００３０】
打球力調整ハンドル１を修理など交換のために取り外す場合は、透明板保持枠３の前側からネジ６０を外し、環状枠体１５を図６の矢印方向とは逆方向へ回動させる。これにより、環状枠体１５が図８から図６の位置に戻り、両係合凹部５４，５４から両係合突子２７，２７が外れると共に両段部４５，４５の各高点４５ａが基体部５０の外周面から離れる。因みに、前記両係合突子２７，２７は、その環状片２８，２８の付勢により自動的に取付孔１６すなわち基体部５０の外周面から外側へ遠ざかる。
【００３１】
この状態で、打球力調整ハンドル１１を透明板保持枠３の前面から前方へ引き抜く。この際、前記両係合突子２７，２７は外側へ遠ざかっているので、突っかかるなど支障もなく打球力調整ハンドル１１の引き抜き動作がスムーズに行える。
【００３２】
このように、本発明に係るパチンコ遊技機Ｐは、打球力調整ハンドル１１の基体部５０をハンドル取付部１３に前側から押し込んだ状態で、環状枠体１５を一方向へ回動させその内周面４６，４６で各係合突子２７，２７を押動して該各係合突子２７を各係合凹部５４に係合させることにより、打球力調整ハンドル１１がハンドル取付部１３に固定されるようにした。よって、透明板保持枠３や本体枠を開閉することなくその前側から打球力調整ハンドル１１の取付または取り外し作業が行えることになる。
【００３３】
また、打球力調整ハンドル１１はハンドル取付部１３に対して回動させずに取り付けられるので無用に回動するようなこともなく、遊技者による悪戯も防止できる。更に、打球力調整ハンドル１１内にはネジ止めのための構成を必要としないことから、特に基体部５０内が広く有効に利用でき、その中に配線基板やこれから引き出される配線のコネクタといった電気部品が自由に配置できる。
【００３４】
前記ハンドル取付部１３における一方の円弧溝２３の挿入口２３ａの内側面に小突起２６が設けられている。これは、円弧溝２３に差込片４０を挿入して環状枠体１５を装着した状態で該環状枠体１５が逆に回動して外れようとしても、小突起２６が前記差込片４０に当接してその動きを止め、該差込片４０が挿入口２３ａに合致してそこから抜け出るのを阻止し、環状枠体１５がハンドル取付部１３から無用に外れたりがたついたりしないようにするためである。これにより、打球力調整ハンドル１１の組立て作業がスムーズに行なえる。このことは、パチンコ遊技機Ｐがパチンコホールに設置され、打球力調整ハンドル１１を故障のため交換する場合にも同じことが言える。
【００３５】
本発明にあっては、打球力調整ハンドルを開閉枠として透明板保持枠に取り付けた場合を説明したが、他に透明板保持枠の上下寸法が短く該透明板保持枠の下方に開閉枠としての下部前板が開閉自在に装着される場合の該下部前板に打球力調整ハンドルを取り付けた場合でも良い。または、機枠に開閉自在に装着され遊技盤が配設される開閉枠としての本体枠に打球力調整ハンドルが取り付けられる場合も本発明が適用できる。また、本発明にあっては、挟着部材を打球力調整ハンドルの基体部が挿通できる大きさであって弾性を有する環状片に一対の係合突子を一体に連結して成形するようにしたが、この環状片に一個またはそれ以上の例えば三個、四個といった複数個の係合突子を連結するようにしても良い。逆に、環状片で連結せずに単独で係合突子を一個、二個、三個、四個またはそれ以上配置するようにしても良い。
【図面の簡単な説明】
【００３６】
【図１】本発明に係るパチンコ遊技機の正面図。
【図２】打球力調整ハンドルの取付部位の分解斜視図。
【図３】透明板保持枠前面のハンドル取付部の正面図。
【図４】ハンドル取付部に打球力調整ハンドルを挿通する状態の平面断面図。
【図５】ハンドル取付部に打球力調整ハンドルを取付ける状態を示す平面断面図。
【図６】図５Ｘ−Ｘ線断面図。
【図７】ハンドル取付部に打球力調整ハンドルを取付けた状態を示す平面断面図。
【図８】図７のＹ−Ｙ線断面図。
【符号の説明】
【００３７】
３                  開閉枠（透明板保持枠）
１１                打球力調整ハンドル
１３                ハンドル取付部
１４                挟着部材
１５                環状枠体
２２                通孔
２７                係合突子
２８                環状片
３０                掛止片
３１                係止凹部
４６                内周面
５０                基体部
５４                係合凹部
Ｐ                  遊技機（パチンコ遊技機）
Ｐ１                遊技機本体
【図１】
2008049034.tif 000003
【図２】
2008049034.tif 000004
【図３】
2008049034.tif 000005
【図４】
2008049034.tif 000006
【図５】
2008049034.tif 000007
【図６】
2008049034.tif 000008
【図７】
2008049034.tif 000009
【図８】
2008049034.tif 000010